(57)【要約】【課題】蓄電デバイスの停止前の充放電の影響を低減させて状態検知を行う蓄電デバイスの状態検知方法及びその装置を提供する。【解決手段】本実施形態の状態検知方法は、状態検知部１１０に状態検知モード開始信号を入力し（ステップＳ１）、状態検知部１１０で所定の状態検知許可条件が成立しているかの判定を行う（ステップＳ２）。ここで成立していると判定されると、ステップＳ３で状態検知モードがオンに設定され、ステップＳ４でバッテリ１１に対し状態検知前充電が行われる。状態検知前充電の終了後、状態検知部１１０でバッテリ１１の状態検知が行われ（ステップＳ５）、その結果が出力表示手段１０２に出力される（ステップＳ６）。【選択図】図１
2010281723.tif 000002
【特許請求の範囲】
【請求項１】
蓄電デバイスの状態検知方法であって、
充放電を停止している前記蓄電デバイスに所定容量の状態検知前充電を行い、
前記状態検知前充電を終了してから時間ｔ経過したときの前記蓄電デバイスの電圧を所定周期で測定し、
前記蓄電デバイスの充放電を停止させて略一定となったときの停止時安定電圧からの前記電圧測定値の変化量（停止時電圧変化量）を、前記蓄電デバイスの所定の状態量の関数である緩和関数Ｆ（ｔ）で最適近似し、
前記最適近似された緩和関数Ｆ（ｔ）から前記状態量を推定し、
前記推定された状態量を所定の閾値と比較して前記蓄電デバイスの放電能力を判定する
ことを特徴とする蓄電デバイスの状態検知方法。
【請求項２】
前記状態検知前充電では、前記蓄電デバイスの５％定格容量の充電を行う
ことを特徴とする請求項１に記載の蓄電デバイスの状態検知方法。
【請求項３】
前記状態検知前充電を終了して最初に取得した前記電圧測定値が前記停止時安定電圧より低いときは、前記蓄電デバイスの放電能力が低下していると判定する
ことを特徴とする請求項１または２に記載の蓄電デバイスの状態検知方法。
【請求項４】
前記停止時安定電圧は、前記最適近似された緩和関数Ｆ（ｔ）を用いて更新される
ことを特徴とする請求項１乃至３のいずれか１項に記載の蓄電デバイスの状態検知方法。
【請求項５】
前記緩和関数Ｆ（ｔ）は、前記蓄電デバイス内部の反応速度に対応して事前に作成された２以上（ｍ個とする）の反応速度毎緩和関数ｆi（ｔ）（ｉ＝１〜ｍ）の線形結合で表わされ、
前記反応速度毎緩和関数ｆi（ｔ）（ｉ＝１〜ｍ）は、前記停止時電圧変化量を前記反応速度に対応する成分に分離して最適化されている
ことを特徴とする請求項１乃至４のいずれか１項に記載の蓄電デバイスの状態検知方法。
【請求項６】
前記状態量は、前記蓄電デバイスの残容量（ＳＯＣ）である
ことを特徴とする請求項１乃至５のいずれか１項に記載の蓄電デバイスの状態検知方法。
【請求項７】
前記状態量は、前記蓄電デバイスの劣化度（ＳＯＨ）である
ことを特徴とする請求項１乃至５のいずれか１項に記載の蓄電デバイスの状態検知方法。
【請求項８】
所定の基準状態における前記反応速度毎緩和関数ｆi（ｔ）、前記残容量，および反応速度毎の前記劣化度をそれぞれｆiref（ｔ）、ＳＯＣref，およびＳＯＨirefとし、前記蓄電デバイスの温度Ｔに対する依存性をＧ（Ｔ）とするとき、前記電圧測定のｎ周期目に最適近似された前記反応速度毎緩和関数ｆin（ｔ）は、前記ｎ周期目に推定される前記残容量ＳＯＣn、前記反応速度毎劣化度ＳＯＨinと次式の関係を有している
ｆin（ｔ）＝ｆiref（ｔ）＊｛ＳＯＣn／ＳＯＣref｝
＊｛ＳＯＨin／ＳＯＨiref｝＊Ｇ（Ｔ）                    (式１)
ことを特徴とする請求項１乃至７のいずれか１項に記載の蓄電デバイスの状態検知方法。
【請求項９】
前記状態検知前充電を行う前に、
前記蓄電デバイスにパルス放電を行って別の状態検知を行う
ことを特徴とする請求項１乃至８のいずれか１項に記載の蓄電デバイスの状態検知方法。
【請求項１０】
前記状態検知前充電を行う前に、
前記蓄電デバイスのインピーダンス測定を行ってさらに別の状態検知を行う
ことを特徴とする請求項１乃至９のいずれか１項に記載の蓄電デバイスの状態検知方法。
【請求項１１】
制御手段で制御される内部充電器を用いて充電可能に構成された蓄電デバイスの状態検知装置であって、
状態検知モード開始信号を入力するための信号入力手段と、
外部に所定の情報を出力する出力表示手段と、
前記蓄電デバイスの電圧を測定する測定手段と、
状態検知モード用スイッチを備え、前記制御手段、前記信号入力手段、前記出力表示手段、及び前記測定手段に接続された状態検知部と、を備え、
前記状態検知部は、前記信号入力手段から前記状態検知モード開始信号を入力すると、前記蓄電デバイスに状態検知前充電が行われた後の経過時間ｔにおける前記蓄電デバイスの電圧を前記測定手段から入力し、前記蓄電デバイスの充放電を停止させて略一定となったときの停止時安定電圧からの前記電圧測定値の変化量（停止時電圧変化量）を前記蓄電デバイスの所定の状態量の関数である緩和関数Ｆ（ｔ）で最適近似し、前記最適近似された緩和関数Ｆ（ｔ）から前記状態量を推定し、前記推定された状態量を所定の閾値と比較して前記蓄電デバイスの放電能力を判定し、判定結果を前記出力表示手段に出力する
ことを特徴とする蓄電デバイスの状態検知装置。
【請求項１２】
前記状態検知前充電は、前記状態検知部が前記制御手段に所定の要求信号を出力し、前記制御手段が前記内部充電器を制御して行う
ことを特徴とする蓄電デバイスの状態検知装置。
【請求項１３】
前記状態検知前充電は、前記蓄電デバイスに外部充電器を接続して行う
ことを特徴とする蓄電デバイスの状態検知装置。
【発明の詳細な説明】
【技術分野】
【０００１】
本発明は、蓄電デバイスの状態検知方法及びその装置に関し、特に蓄電デバイスの放電能力に係る状態検知方法及びその装置に関するものである。
【背景技術】
【０００２】
近年、蓄電デバイスに対するニーズが大きくなっており、例えば自動車では電気デバイスであるバッテリから電源供給を受けて動作する電気機器が多く搭載されるようになり、バッテリの重要度がますます高まっている。近年はバイワイヤー化が進み、電動ブレーキ（ＥＰＢ）に代表される安全系の部品を電気で制御するようになってきている。また、省エネや二酸化炭素の排出規制に伴って、交差点などでの短時間停止時のアイドリングストップ機能とその再始動能力の確保が求められている。
【０００３】
自動車以外の分野でも、例えば太陽光発電や風力発電などの自然エネルギーの利用を進める上で、発電電力量の平準化や余剰電力の蓄電のために蓄電デバイスが用いられる。さらに、停電時等に電気機器に電力供給を行うための安定化電源、補助電源等のバックアップ電源にも蓄電デバイスが用いられる。このような蓄電デバイスには、二次電池やキャパシタ等の電解液の移動を伴うものが用いられている。蓄電デバイスを安定して利用できるようにするには、その状態検知を高精度に行えるようにして、充電不足等の問題を早期に解決できるようにする必要がある。
【０００４】
一般に、蓄電デバイスが充放電停止後十分に安定した条件下では、その開放端電圧（ＯＣＶ）と残容量（ＳＯＣ：State of charge）との間に、図７の符号８１に示すような１：１に対応する関係がある。しかしながら、このような１：１の関係は、実験室のような安定した条件下で得られるものである。充放電を行った後の蓄電デバイスは、例えば電解液を含む蓄電池の場合、電気化学反応による極板表面でのイオンの生成・消滅反応、及び電解液の拡散や対流等によるイオンの移動、のそれぞれの影響を受けている。このような影響は、Ｌｉイオン電池や鉛蓄電池のような電解液中をイオンが移動する蓄電池では必ず生じる。また、キャパシターの類であっても、蓄電の媒体として電解液を利用する場合には、その媒体の濃度変化が生じるため、やはりイオンの拡散などの影響を受ける。
【０００５】
このような電解質又は電解液中のイオン濃度が過渡的に変化する場合には、イオン濃度が十分に均質な状態になるまでに長時間を必要とするため、限られた測定時間内で電池電圧を測定した結果では、ＯＣＶとＳＯＣとの間で１：１の関係が成立していない。図８、９は、蓄電池のＳＯＣ及び温度が一定のときのＯＣＶの過渡変化の一例を示す図である。図８は、ＳＯＣが一定であってもＯＣＶ（符号８２）が一定値に安定するまでに時間がかかることを示している。また、図９では、ＳＯＨ（劣化度、State of health）が異なるときの蓄電池におけるＯＣＶ（符号８３、８４、８５）の変化を示しているが、ＳＯＣや温度を同一条件に調整し直近の充放電条件も同一とした場合でも、ＳＯＨが異なると同じＯＣＶには収束しないことを示している。
【０００６】
このような過渡変化には、イオンの生成消滅反応のような反応時間が短く変化の速いものと、電解液の拡散や対流等の変化の遅いものが含まれている。そこで、蓄電デバイスの放電能力を高精度に評価するために、例えば特許文献１では、このような過渡変化を３つの時定数の成分に分けて評価する方法が記載されている。ここでは、充放電時間に応じて過渡応答が変わり、抵抗成分や電池の内部反応に応じた分極成分や電解液の拡散速度についての言及がある。
【先行技術文献】
【特許文献】
【０００７】
【特許文献１】特開平２００５−１０６６１５号公報
【発明の概要】
【発明が解決しようとする課題】
【０００８】
しかしながら、充放電停止後に蓄電デバイスの状態検知を行う場合、それ以前の充放電履歴等によって過渡変化が大きく異なってくるため、充放電履歴の影響を強く受けて放電能力等を高精度に判定することが困難になるといった問題があった。
【０００９】
例えば、自動車に搭載されたバッテリでは、車両運行中にさまざまな充放電が繰り返されるため、バッテリ中の電解液に生じる泳動、沈殿、対流、拡散なども車両運行条件によってさまざまに異なっている。そのため、充放電停止後のバッテリの過渡変化は、それまでの車両運行条件によって異なり、同等あるいは傾向が同じとみなせるような再現性のある停止状態を作り出すことはできない。特許文献１に記載の状態検知方法のように、充放電停止後の過渡変化を異なる時定数の成分に分けて状態検知を行う場合でも、充放電停止後のバッテリの過渡変化が大きく異なると、各時定数成分を高精度に求めることが困難となり、バッテリの状態検知を高精度に行うのが困難になるといった問題があった。
【００１０】
そこで、本発明はこれらの問題を解決するためになされたものであり、蓄電デバイスの停止前の充放電の影響を低減させて状態検知を行う蓄電デバイスの状態検知方法及びその装置を提供することを目的とする。
【課題を解決するための手段】
【００１１】
本発明の蓄電デバイスの状態検知方法の第１の態様は、蓄電デバイスの状態検知方法であって、充放電を停止している前記蓄電デバイスに所定容量の状態検知前充電を行い、前記状態検知前充電を終了してから時間ｔ経過したときの前記蓄電デバイスの電圧を所定周期で測定し、前記蓄電デバイスの充放電を停止させて略一定となったときの停止時安定電圧からの前記電圧測定値の変化量（停止時電圧変化量）を、前記蓄電デバイスの所定の状態量の関数である緩和関数Ｆ（ｔ）で最適近似し、前記最適近似された緩和関数Ｆ（ｔ）から前記状態量を推定し、前記推定された状態量を所定の閾値と比較して前記蓄電デバイスの放電能力を判定することを特徴とする。
【００１２】
本発明の蓄電デバイスの状態検知方法の他の態様は、前記状態検知前充電では、前記蓄電デバイスの５％定格容量の充電を行うことを特徴とする。
【００１３】
本発明の蓄電デバイスの状態検知方法の他の態様は、前記状態検知前充電を終了して最初に取得した前記電圧測定値が前記停止時安定電圧より低いときは、前記蓄電デバイスの放電能力が低下していると判定することを特徴とする。
【００１４】
本発明の蓄電デバイスの状態検知方法の他の態様は、前記停止時安定電圧は、前記最適近似された緩和関数Ｆ（ｔ）を用いて更新されることを特徴とする。
【００１５】
本発明の蓄電デバイスの状態検知方法の他の態様は、前記緩和関数Ｆ（ｔ）は、前記蓄電デバイス内部の反応速度に対応して事前に作成された２以上（ｍ個とする）の反応速度毎緩和関数ｆi（ｔ）（ｉ＝１〜ｍ）の線形結合で表わされ、前記反応速度毎緩和関数ｆi（ｔ）（ｉ＝１〜ｍ）は、前記停止時電圧変化量を前記反応速度に対応する成分に分離して最適化されていることを特徴とする。
【００１６】
本発明の蓄電デバイスの状態検知方法の他の態様は、前記状態量は、前記蓄電デバイスの残容量（ＳＯＣ）であることを特徴とする。
【００１７】
本発明の蓄電デバイスの状態検知方法の他の態様は、前記状態量は、前記蓄電デバイスの劣化度（ＳＯＨ）であることを特徴とする。
【００１８】
本発明の蓄電デバイスの状態検知方法の他の態様は、所定の基準状態における前記反応速度毎緩和関数ｆi（ｔ）、前記残容量，および反応速度毎の前記劣化度をそれぞれｆiref（ｔ）、ＳＯＣref，およびＳＯＨirefとし、前記蓄電デバイスの温度Ｔに対する依存性をＧ（Ｔ）とするとき、前記電圧測定のｎ周期目に最適近似された前記反応速度毎緩和関数ｆin（ｔ）は、前記ｎ周期目に推定される前記残容量ＳＯＣn、前記反応速度毎劣化度ＳＯＨinと次式の関係を有している
ｆin（ｔ）＝ｆiref（ｔ）＊｛ＳＯＣn／ＳＯＣref｝
＊｛ＳＯＨin／ＳＯＨiref｝＊Ｇ（Ｔ）
ことを特徴とする。
【００１９】
本発明の蓄電デバイスの状態検知方法の他の態様は、前記状態検知前充電を行う前に、前記蓄電デバイスにパルス放電を行って別の状態検知を行うことを特徴とする。
【００２０】
本発明の蓄電デバイスの状態検知方法の他の態様は、前記状態検知前充電を行う前に、前記蓄電デバイスのインピーダンス測定を行ってさらに別の状態検知を行うことを特徴とする。
【００２１】
本発明の蓄電デバイスの状態検知装置の第１の態様は、制御手段で制御される内部充電器を用いて充電可能に構成された蓄電デバイスの状態検知装置であって、状態検知モード開始信号を入力するための信号入力手段と、外部に所定の情報を出力する出力表示手段と、前記蓄電デバイスの電圧を測定する測定手段と、状態検知モード用スイッチを備え、前記制御手段、前記信号入力手段、前記出力表示手段、及び前記測定手段に接続された状態検知部と、を備え、前記状態検知部は、前記信号入力手段から前記状態検知モード開始信号を入力すると、前記蓄電デバイスに状態検知前充電が行われた後の経過時間ｔにおける前記蓄電デバイスの電圧を前記測定手段から入力し、前記蓄電デバイスの充放電を停止させて略一定となったときの停止時安定電圧からの前記電圧測定値の変化量（停止時電圧変化量）を前記蓄電デバイスの所定の状態量の関数である緩和関数Ｆ（ｔ）で最適近似し、前記最適近似された緩和関数Ｆ（ｔ）から前記状態量を推定し、前記推定された状態量を所定の閾値と比較して前記蓄電デバイスの放電能力を判定し、判定結果を前記出力表示手段に出力することを特徴とする。
【００２２】
本発明の蓄電デバイスの状態検知装置の他の態様は、前記状態検知前充電は、前記状態検知部が前記制御手段に所定の要求信号を出力し、前記制御手段が前記内部充電器を制御して行うことを特徴とする。
【００２３】
本発明の蓄電デバイスの状態検知装置の他の態様は、前記状態検知前充電は、前記蓄電デバイスに外部充電器を接続して行うことを特徴とする。
【発明の効果】
【００２４】
本発明によれば、状態検知の前に蓄電デバイスに所定容量の充電を行うことで、停止前の充放電の影響を低減させて状態検知を行うことにより、蓄電デバイスの放電能力を高精度に判定できる蓄電デバイスの状態検知方法及びその装置を提供することができる。
【図面の簡単な説明】
【００２５】
【図１】本発明の第１の実施形態に係る蓄電デバイスの状態検知方法の概略を説明する流れ図である。
【図２】第１の実施形態に係る蓄電デバイスの状態検知装置のブロック図である。
【図３】運転中の充放電と状態検知前充電による電流、電圧の変化を示すグラフである。
【図４】状態検知モードが要求されてから状態検知前充電が終了するまでの処理を説明する流れ図である。
【図５】状態検知モードが成立しているときの処理を説明する流れ図である。
【図６】本発明の他の実施形態に係る蓄電デバイスの状態検知方法の概略を説明する流れ図である。
【図７】安定開放端電圧とＳＯＣとの関係を示すグラフである。
【図８】ＳＯＣが一定のときのＯＣＶの変化を示すグラフである。
【図９】ＳＯＨが異なるときのＯＣＶの変化を示すグラフである。
【発明を実施するための形態】
【００２６】
本発明の好ましい実施の形態における蓄電デバイスの状態検知方法及びその装置について、図面を参照して詳細に説明する。なお、同一機能を有する各構成部については、図示及び説明簡略化のため、同一符号を付して示す。
【００２７】
本発明の蓄電デバイスの状態検知方法では、蓄電デバイスの放電能力を適切に維持できるようにするために、蓄電デバイスの状態検知を適宜行うための状態検知モードを設けている。状態検知モードは、蓄電デバイスを備えたシステムにおいて、例えば運転を停止して蓄電デバイスの充放電が停止された時点や、充放電が停止された後相当の時間が経過した時点等において、ユーザあるいは保守員等によって実行されるものである。蓄電デバイスに対し状態検知モードが要求されると、該蓄電デバイスの状態検知を高精度に行うものである。
【００２８】
以下では、蓄電デバイスとして車両に搭載されたバッテリを一例に、本発明の蓄電デバイスの状態検知方法及び状態検知装置について説明する。但し、以下で説明する内容は、車載バッテリに限らず、太陽光発電や風力発電などに用いられる蓄電デバイスや、安定化電源、補助電源等のバックアップ電源に用いられる蓄電デバイスにも同様に適用できるものである。
【００２９】
本発明の第１の実施形態に係る蓄電デバイスの状態検知方法及びその装置を、図１、図２を用いて以下に説明する。図１は、本実施形態の蓄電デバイスの状態検知方法の概略を説明するための流れ図であり、図２は、本実施形態の蓄電デバイスの状態検知装置のブロック図である。
【００３０】
本実施形態の状態検知装置１００は、車両１０に搭載されて蓄電デバイス（バッテリ）１１の状態検知を行うものであり、信号入力手段１０１、出力表示手段１０２、測定手段１０３、及び状態検知部１１０を備えている。バッテリ１１には車載電気機器等の負荷１２が接続されており、さらにオルタネータ等の車載充電器１４が接続されている。信号入力手段１０１は、運転者等のユーザが状態検知モードを要求するための信号（以下では状態検知モード開始信号と称する）を入力するのに用いるものであり、出力表示手段１０２は、状態検知を行った結果等をユーザに通知するのに用いる。信号入力手段１０１及び出力表示手段１０２は、ともに運転者が使用するものであることから、運転席またはその近傍に設けるのがよい。
【００３１】
状態検知部１１０は、測定手段１０３からバッテリ１１の電圧、電流等の測定値を入力し、これを用いてバッテリ１１の状態検知を高精度に行う処理を行っている。また、状態検知部１１０は状態検知モード用スイッチ１１１を具備しており、信号入力手段１０１から状態検知モード開始信号を入力する代わりに、状態検知モード用スイッチ１１１をオンにすることで、状態検知モード開始信号が状態検知部１１０に出力される。状態検知モード用スイッチ１１１は、定期点検時等のメンテナンス時に保守員等がバッテリ１１の状態検知を速やかに行えるように設けられたものである。
【００３２】
状態検知部１１０は、状態検知を行う前にバッテリ１１に対し所定容量の充電（以下では状態検知前充電と称する）を行わせるように構成されている。すなわち、状態検知部１１０が制御手段１３に対しバッテリ１１の状態検知前充電を要求すると、制御手段１３がエンジンを起動させて車載充電器１４を動作させ、これによりバッテリ１１に所定容量の充電を行わせるように制御する。あるいは、上記のバッテリ１１の状態検知前充電を保守員等が行うことも可能となっている。この場合には、状態検知前に保守員等がバッテリ１１に外部充電器２０を接続して充電させる。状態検知部１１０は、車載充電器１４あるいは外部充電器２０による状態検知前充電が行われた後に、バッテリ１１の状態検知を行うように構成されている。なお、状態検知部１１０と信号入力手段１０１、出力表示手段１０２、測定手段１０３、及び制御手段１３との間の通信手段として、ＬＩＮ（Local Interconnect Network）またはＣＡＮ（Controller Area Network）等の通信バスを用いることができる。
【００３３】
次に、図１に示す流れ図を用いて、本実施形態の状態検知方法の概要を説明する。本実施形態の状態検知装置１００を用いてバッテリ１１の状態検知を行う場合には、まず、状態検知部１１０に状態検知モード開始信号を入力する（ステップＳ１）。これにより、状態検知部１１０では、所定の状態検知許可条件が成立しているかの判定を行う（ステップＳ２）。この状態検知許可条件として、少なくともバッテリ１１が充放電を停止していることを含む。
【００３４】
ステップＳ２で状態検知許可条件が成立していると判定されると、ステップＳ３で状態検知モードがオンに設定され、次のステップＳ４でバッテリ１１に対し状態検知前充電が行われる。状態検知前充電が終了すると、状態検知部１１０でバッテリ１１の状態検知が行われる（ステップＳ５）。状態検知として、例えばバッテリ１１の残容量ＳＯＣを推定し、これをもとにバッテリ１１の放電能力を判定することができる。状態検知の処理によりバッテリ１１の放電能力が判定されると、その結果が出力表示手段１０２に出力され、ユーザや保守員等に通知される（ステップＳ６）。一方、ステップＳ２で状態検知許可条件が不成立と判定されると、ステップＳ３〜Ｓ６の処理を行わないで終了する。
【００３５】
以下では、状態検知部１１０において行われるバッテリ１１の状態検知方法について説明する。バッテリ１１の充放電停止後の過渡変化は、速度の異なる反応過程を含んでいることから、充放電停止後のバッテリ１１の放電能力を高精度に判定するためには、反応速度毎の状態変化を評価することができる方法を用いて状態検知を行うのがよい。例えば、充放電停止後のバッテリの電圧変化ΔＶ（ｔ）を、反応速度の違いに応じてｍ個の多項式からなる関数（以下では緩和関数と称する）Ｆ（ｔ）を用いて次式のように表すことができる。
【００３６】
ΔＶ（ｔ）＝Ｆ（ｔ）
＝ｆ1（ｔ）＋ｆ2（ｔ）＋・・・ｆm（ｔ）＝Σｆi（ｔ）    (１)
ここで、電圧変化量ΔＶ（ｔ）は、状態検知前充電を終了してから時間ｔが経過したときの電圧測定値Ｖmes（ｔ）と、充放電停止後十分な時間（例えば２０時間）経過して略一定となったときの停止時安定電圧（以下ではＯＣＶ20hrとする）との差を表している。
ΔＶ（ｔ）＝Ｖmes（ｔ）―ＯＣＶ20hr                              (２)
本実施形態では、上式を用いて状態検知を行うものとする。
【００３７】
上記の緩和関数Ｆ（ｔ）では、各項ｆi（ｔ）がバッテリ１１の反応速度の異なる緩和過程の電圧変化への寄与分を示しており、以下では反応速度毎緩和関数ｆi（ｔ）とする。各ｆi（ｔ）は、バッテリ１１の状態量である劣化度ＳＯＨ、残容量ＳＯＣ(イオン濃度)、および温度Ｔに依存する関数である。電圧測定値Ｖmes（ｔ）からΔＶ（ｔ）を算出し、式（１）を電圧測定値Ｖmes（ｔ）から算出したΔＶ（ｔ）で最適化することで、各反応速度毎緩和関数ｆi（ｔ）を決定することができる。
【００３８】
本実施形態の状態検知方法は、状態検知前充電の終了後所定の周期でバッテリ１１の電圧測定値を入力し、電圧測定値を入力する毎に緩和関数Ｆ（ｔ）の最適化を行って更新している。ｎ回目に測定した電圧測定値を用いて最適化されたときの反応速度毎緩和関数をｆin（ｔ）とするとき、ｆin（ｔ）は次式のように表すことができる。
ｆin（ｔ）＝ｆiref（ｔ）＊｛ＳＯＣn／ＳＯＣref｝
＊｛ＳＯＨin／ＳＯＨiref｝＊Ｇ（Ｔ）                    (３)
ここで、ｆiref（ｔ）、ＳＯＣref，およびＳＯＨirefは、それぞれ所定の基準状態における反応速度毎緩和関数、残容量ＳＯＣ，および反応速度毎の劣化度ＳＯＨを表し、Ｇ（Ｔ）は蓄電デバイスの温度Ｔに対する依存性を表している。式（３）より、ｎ回目の電圧測定値を用いて推定される残容量ＳＯＣn及び反応速度毎劣化度ＳＯＨinを算出することができる。ＳＯＣnよりバッテリ１１の放電能力を判定することができる。また、反応速度毎劣化度ＳＯＨinを全反応速度について積算した劣化度ＳＯＨより、バッテリ１１の劣化度を判定することができる。
【００３９】
式（１）に示す緩和関数Ｆ（ｔ）の最適化を高精度に行うためには、状態検知を行う時点の過渡変化が、常に同等あるいは傾向が同じとみなせるような再現性のある状態であることが好ましい。そこで、本実施形態のバッテリ１１の状態検知方法では、状態検知を行う前にその充放電状態をできるだけ再現性のある状態に移行させ、その後に状態検知を行うようにしている。状態検知開始前の充放電状態をできるだけ再現性のある状態に移行させるために、本実施形態では、図１のステップＳ４において所定容量の充電（状態検知前充電）を行っており、その後に電圧変化等の測定を行って状態検知を行うようにしている。
【００４０】
バッテリ１１を再現性のある状態に移行させるための適切な状態検知前充電の容量として、車両運行中の充放電に伴う電解液の電気泳動のうち、放電に伴う電気泳動の影響を打ち消すのに十分な容量とするのが好ましい。これにより、状態検知前充電が車両運行中の放電による影響を低減し、状態検知時は充電分極に伴う電圧変化を測定するようにすることができる。以下では、状態検知前充電として適切な容量を、自動車のバッテリを対象として説明する。
【００４１】
自動車の実際の走行では、充放電容量が任意にかつ頻繁に変化するため、走行中の充放電容量を測定して積算し、これをもとに状態検知前充電の容量を決定する方法が考えられる。しかしながら、走行中の充放電容量を積算する方法では、必ずしも精度の高い充放電容量が得られず、状態検知モードに移行したときに適切な充電容量を決定するのが難しい。また、アイドリングストップが繰り返し行われるなど、大容量の放電が行われた後に状態検知モードに移行した場合には、状態検知前充電の必要容量が大きくなってしまうおそれがあり、その場合には充電に要する時間が長くなってしまう等の問題がある。
【００４２】
そこで、本実施形態の状態検知方法では、走行中の充放電を積算したものを用いて状態検知前充電の容量を決めるのではなく、対象のバッテリ毎に充電時の過渡変化を事前に調べ、それをもとに状態検知前充電の容量を予め決めておくようにしている。一例として、古河電池製バッテリ５５Ｂ２４（３６［Ａｈ］）を搭載した車両の場合では、１〜２時間程度通常の走行を行ったとき、走行中のバッテリの充放電容量（ΔＳＯＣ）の大きさ（絶対値）が０．５％以下となる。
【００４３】
そこで、状態検知前充電の容量として、このような走行時の充放電量より十分大きい容量とすることで、状態検知モードに移行する前の充放電の影響を十分に低減することができる。その結果、本実施形態の状態検知方法では、状態検知を行うときのバッテリ状態が、状態検知前充電によって生じる過渡変化に支配されるため、再現性のある過渡状態になっているということができる。状態検知前充電を行った後のバッテリの過渡変化が、直前の走行時の充放電容量の大きさによってどのように変化するかを、図３を用いて説明する。図３は、運転中から停止後の状態検知時のバッテリの電流及び電圧の変化を示しており、運転中の充放電容量と状態検知前充電容量との大小関係によって過渡変化がどのように変化するかを模式的に示したグラフである。ここでは、状態検知前充電容量を定格容量の５％としている。
【００４４】
図３（ａ）は、運転中の充放電容量に比べて状態検知前充電の容量が大きい場合の電流、電圧の変化を示し、図３（ｂ）は、運転中の充放電容量と状態検知前充電容量が同程度の場合の電流、電圧の変化を示し、図３（ｃ）は、運転中の充放電容量が状態検知前充電容量より大きい場合の電流、電圧の変化を示している。図３（ａ）に示す状態検知前充電容量の方が大きい場合として、運転中の充放電容量を１％以下としている。この場合には、運転中の充放電の影響が状態検知前充電によって低減される結果、状態検知前充電後の電圧変化が単調に減少して安定電圧に収束する傾向を示す。
【００４５】
また、図３（ｂ）に示す運転中の充放電容量と状態検知前充電容量が同程度の場合として、運転中の充放電容量を１％以上５％以下としている。この場合にも、運転中の充放電の影響を状態検知前充電によって低減することができ、状態検知前充電後の電圧変化は、図３（ａ）と同様に単調に減少して安定電圧に収束する傾向を示す。さらに、図３（ｃ）に示す運転中の充放電容量が状態検知前充電容量より大きい場合には、状態検知前充電を終了した後も電圧が単調増加の傾向にあり、図３（ａ）、（ｂ）と全く異なる傾向を示す。
【００４６】
車両走行時の充放電容量は、通常は１％程度以下であり、状態検知前充電容量を５％とした場合には、通常の車両走行時の充放電による充放電分極の影響を十分に低減することができる。その結果、状態検知前充電を行った後の状態検知では、５％容量の充電による図３（ａ）、（ｂ）に示すような過渡変化をもとに放電能力を検知することになる。式（１）の緩和関数Ｆ（ｔ）として、５％容量の充電による過渡変化を最適に近似できるような関数形を用いることで、緩和関数Ｆ（ｔ）を用いた状態検知を高精度に行うことが可能となる。
【００４７】
これに対し、図３（ｃ）に示すような運転中の充放電容量が状態検知前充電容量より大きくなる場合には、安定電圧より低い電圧が測定されるので、これを検知することで放電能力が低下していることをユーザ等に通知することができる。運転中の放電容量が大きくなる一例として、アイドリングストップを短期間に繰り返し行った後に運転を停止した場合がある。電圧測定値が安定電圧より低くなるのは、運転中の放電量が特に大きい場合のほか、バッテリ１１の劣化が進んでいたり、長期間放置されていた場合等もある。このような場合でも、本実施形態の状態検知方法により容量低下（容量不足）や劣化の増大を検出することができる。
【００４８】
なお、状態検知前充電の容量は、通常の車両走行としてどのような走行形態までを対象とするかによって異なる値を設定することができ、また車両に搭載されるバッテリのサイズ、特性等を考慮して決定するのがよい。例えば、アイドリングストップによる放電も対象として状態検知前充電の容量を設定する場合には、アイドリングストップ時に放電される容量以上の充電容量を設定するのが好ましい。運転中の放電容量より大きな充電を行うようにすることで、図３（ａ）、（ｂ）に示すように、状態検知時の電圧が単調減少するような過渡状態で状態検知を行うことができる。
【００４９】
図１を用いて概略を説明した本実施形態の状態検知方法について、以下では図４、５を用いてさらに詳細に説明する。図４は、状態検知モードが要求されてから状態検知前充電が終了するまでの処理を説明するための流れ図である。図４（ａ）は、運転者等が信号入力手段１０１から状態検知モード開始信号を入力したときの処理の流れを示しており、図４（ｂ）は、保守員等が状態検知モード用スイッチ１１１をオンにしたときの処理の流れを示している。
【００５０】
信号入力手段１０１から状態検知モード開始信号を入力する場合、あるいは状態検知モード用スイッチ１１１をオンにする場合のいずれも、誤操作で信号入力が行われるおそれがある。そこで、図４（ａ）では誤操作を防止するように構成したときの処理の流れについて説明し、図４（ｂ）では誤操作防止を考慮しないときの処理の流れについて説明する。但し、図４（ｂ）でも図４（ａ）と同様に誤操作を防止するように構成することができ、また図４（ａ）で誤操作防止の処理を省略することも可能である。
【００５１】
図４（ａ）において、信号入力手段１０１から状態検知モード開始信号が入力されると（ステップＳ１１）、この信号が状態検知部１１０に出力される。状態検知部１１０は、状態検知モード開始信号を入力すると、状態検知が要求されたことを確認するための確認メッセージを出力表示部１０２に表示する（ステップＳ１２）。確認メッセージに基づき、例えば信号入力手段１０１から確認信号が入力されると（ステップＳ１３）、次に所定の状態検知許可条件が成立しているか判定する（ステップＳ１４）。
【００５２】
上記の状態検知許可条件として、少なくともバッテリ１１が充放電を行っていないことが要求される。バッテリ１１が充放電を行っていないことを判定する方法として、例えば車両１０が停止状態にある（キースイッチがオフの位置にある）ことを確認する。また、状態検知部１１０と周辺装置との通信が可能か、測定手段１０３からの測定値が正常範囲内の値を示すか、エンジンを起動させて車載充電器１４を正常に動作させることができるか、等を確認させるようにし、いずれかが異常となっている場合も、状態検知許可条件を不成立にするようにしてもよい。
【００５３】
ステップＳ１４の判定の結果、状態検知許可条件が成立している場合には、ステップＳ１５で状態検知モードをオンに設定する。このとき、状態検知モードがオンになったことを出力表示手段１０２に表示させるようにしてもよい。ステップＳ１６では、車載充電器１４を用いてバッテリ１１に対し状態検知前充電を開始させる。車載充電器１４を用いた状態検知前充電は、状態検知部１１０が制御手段１３に対して所定容量の充電を要求し、制御手段１３がエンジンを起動して車載充電器１４を動作させて行う。
【００５４】
一方、ステップＳ１４の判定で状態検知許可条件が不成立の場合には、ステップＳ１５、Ｓ１６の処理を行わないで終了する。このとき、状態検知許可条件のどれが不成立となったかを出力表示手段１０２に表示させるようにしてもよい。
【００５５】
次に、状態検知モード用スイッチ１１１をオンにして状態検知を開始する処理の流れを、図４（ｂ）を用いて説明する。保守員等が状態検知モード用スイッチ１１１をオンにすると（ステップＳ２１）、状態検知モード開始信号が状態検知部１１０に出力される。状態検知部１１０は、状態検知モード開始信号を入力すると次に所定の状態検知許可条件が成立しているか判定する（ステップＳ２２）。状態検知許可条件は、図４（ａ）の場合と同じとすることができる。
【００５６】
ステップＳ２２の判定の結果、状態検知許可条件が成立している場合には、ステップＳ２３で状態検知モードをオンに設定し、ステップＳ２４では、外部充電器２０を用いてバッテリ１１に対し状態検知前充電を開始させる。外部充電器２０による充電は、保守員等が行う。そこで、ステップＳ２４では出力表示手段１０２に充電開始要求のメッセージを表示し、保守員等がこれを確認して充電を行うようにするのがよい。また、所定容量の充電が終了すると、保守員等が状態検知モード用スイッチ１１１を操作するか、あるいは信号入力手段１０１から状態検知前充電が終了したことを通知する信号を入力するようにしてもよい。
【００５７】
一方、ステップＳ２２の判定で状態検知許可条件が不成立の場合には、ステップＳ２３、Ｓ２４の処理を行わないで終了する。このとき、状態検知許可条件のどれが不成立となったかを出力表示手段１０２に表示させるようにしてもよい。
【００５８】
次に、状態検知モードが成立しているときの処理の流れを、図５を用いて説明する。図５に示す処理は、所定の周期で実行される。まず、ステップＳ３１において、状態検知モードがオンになっているかを判定する。その結果、状態検知モードがオンの場合にはステップＳ３２に進み、状態検知モードがオフの場合には以下の処理を行わずに終了する。次のステップＳ３２では、上記の状態検知許可条件が成立しているかを判定する。状態検知許可条件の確認は、状態検知モード期間中は常に行うものとする。その結果、状態検知許可条件が成立している場合には、次のステップＳ３３に進む一方、態検知許可条件が不成立の場合には、ステップＳ３９に進む。この場合、状態検知許可条件のどれが不成立となったかを出力表示手段１０２に表示させるようにしてもよい。
【００５９】
ステップＳ３３では、状態検知前充電が終了したか否かを判定する。状態検知前充電が車載充電器１４を用いて行われている場合には、制御手段１３に対し充電が終了したかを確認して判定することができる。あるいは、充電開始からの経過時間で判定させるようにすることもできる。また、状態検知前充電が外部充電器２０を用いて行われている場合には、状態検知モード用スイッチ１１１あるいは信号入力手段１０１から充電終了の信号が入力されることで判定する。ステップＳ３３での判定の結果、状態検知前充電が終了している場合には、次のステップＳ３４に進む。一方、状態検知前充電が終了していないと判定された場合には、以下の処理を行わずに処理を終了する。
【００６０】
ステップＳ３４では、測定手段１０３を用いて現時点の電圧測定値Ｖmes（ｔ）を入力し、ステップＳ３５では、それまでに入力した電圧測定値Ｖmes（ｔ）を用いて緩和関数Ｆ（ｔ）を最適化する。次のステップＳ３６では、最適化されたＦ（ｔ）を用いてバッテリ１１の放電能力を推定する。放電能力として、例えば式（１）、（２）から停止時安定電圧ＯＣＶ20hrの推定値を更新し、これと図７に示すようなＯＣＶ20hrとＳＯＣとの関係から求めたＳＯＣを用いることができる。ステップＳ３７では、このようにして推定されたＳＯＣを、所定の記憶部に一時的に保存する。
【００６１】
ステップＳ３８では、状態検知を開始してからの経過時間ｔが所定時間に達したかを判定し、経過時間ｔが所定時間に達している場合にはステップＳ３９に進む。一方、経過時間ｔが所定時間に達していない場合には、以下の処理を行わずに終了する。ステップＳ３９では、ステップＳ３７で一時保存された放電能力を読み出し、これが所定の閾値以上のときを放電能力が正常と判定し、所定の閾値未満のときを放電能力が異常と判定する。ステップＳ４０では、放電能力を判定した結果を出力表示手段１０２に出力する。さらに、ステップＳ４１で状態検知モードをオフにして処理を終了する。
【００６２】
本発明の蓄電デバイスの状態検知方法の別の実施形態を、図６に示す流れ図を用いて以下に説明する。本実施形態の状態検知方法では、状態検知モードによるバッテリ１１の状態検知を行う前に、パルス放電による状態検知（ステップＳ５１）とインピーダンス測定による状態検知（ステップＳ５２）を行っている。パルス放電による状態検知は、バッテリ１１をパルス放電させたときの電流、電圧を測定し、それをもとにバッテリ１１の放電能力や劣化状態を検知するものである。また、インピーダンス測定による状態検知では、電流、電圧の測定値からバッテリ１１の内部インピーダンスを推定し、これをもとにバッテリ１１の劣化状態を検知するものである。
【００６３】
本発明の状態検知モードによる状態検知方法は、第１の実施形態のようにこれを単独に行ってもよく、あるいは本実施形態のように、パルス放電による状態検知及びインピーダンス測定による状態検知と組み合わせて行うこともできる。また、パルス放電による状態検知及びインピーダンス測定による状態検知の両方と組み合わせる必要は必ずしもなく、パルス放電による状態検知及びインピーダンス測定による状態検知のいずれか一方と状態検知モードによる状態検知とを組み合わせて行うことも可能である。
【００６４】
上記では、バッテリ１１の充放電を停止した直後に状態検知を行う場合について説明したが、これに限らず、例えば長期間バッテリ１１の充放電が停止されている場合にも状態検知を行わせることができる。例えば、１か月に１回程度の頻度で状態検知モードを実行することで、バッテリ１１の放電能力を確認することができる。それと同時に、状態検知モードによる状態検知前充電によって、長時間駐車時も安全に効率よくバッテリ１１の回復充電（５％充電）を実施することができる。
【００６５】
なお、本実施形態では、状態検知前充電を行う方法として、状態検知部１１０からの要求により、制御手段１３がエンジンを起動して車載充電器１４を動作させることでバッテリ１１に充電を行わせるようにしたが、これに代えて、運転者が走行を終了してエンジンを停止する直前に状態検知モード開始信号を入力するようにしてもよい。この場合には、例えばキースイッチをオフにしてもエンジンを停止させずに車載充電器１４による状態検知前充電を直ちに行わせ、充電が終了するとエンジンを自動停止させるようにすることができる。
【００６６】
また、上記実施形態では、蓄電デバイスの状態検知として放電能力が確保されているかを検知する場合について説明したが、これに限定されず、さらにＳＯＨ等の劣化を判定するようにすることも容易である。緩和関数Ｆ（ｔ）は、ＳＯＨに対する依存性も有していることから、緩和関数Ｆ（ｔ）からＳＯＨを算出する式を導出することができる。このような式を用いることで、ＳＯＨを推定して蓄電デバイスの劣化状態を判定することが可能となる。
【００６７】
上記説明のように、本発明の蓄電デバイスの状態検知方法および状態検知装置によれば、状態検知を行う前に所定容量の充電を行うことで、蓄電デバイスが再現性のある過渡変化の状態に移行している。これにより、同等あるいは傾向が同じとみなせるような再現性のある過渡状態で状態検知を行うことが可能となり、蓄電デバイスの状態検知を高精度に行うことが可能となる。その結果、蓄電デバイスの充電不足や故障等を早期に検知することができ、車両運行や補機のバックアップとしての信頼性を高めることができる。さらに、状態検知前充電により、大幅な容量不足を防止して蓄電デバイスの劣化を低減することができ、システムの安定運用の実現や蓄電デバイスの長寿命化を図ることも可能となる。
【００６８】
なお、本実施の形態における記述は、本発明に係る蓄電デバイスの状態検知方法及びその装置の一例を示すものであり、これに限定されるものではない。本実施の形態における蓄電デバイスの状態検知方法及びその装置の細部構成及び詳細な動作等に関しては、本発明の趣旨を逸脱しない範囲で適宜変更可能である。
【符号の説明】
【００６９】
１０：車両
１１：蓄電デバイス（バッテリ）
１２：負荷
１３：制御手段
１４：車載充電器入力手段
２０：外部充電器
１００：状態検知装置
１０１：信号入力手段
１０２：出力表示手段
１０３：測定手段
１１０：状態検知部
１１１：状態検知モード用スイッチ
【図１】
2010281723.tif 000003
【図２】
2010281723.tif 000004
【図３】
2010281723.tif 000005
【図４】
2010281723.tif 000006
【図５】
2010281723.tif 000007
【図６】
2010281723.tif 000008
【図７】
2010281723.tif 000009
【図８】
2010281723.tif 000010
【図９】
2010281723.tif 000011